(57)【要約】      （修正有）【課題】前髪の生えぎわに違和感がなく、カツラの装着がわからないように改良を施したカツラを提供する。【解決手段】着用者の頭部に被冠される下向き皿状のネットシート本体15から成るベース14に疑似毛からなる頭髪を植毛し、着用者の少なくとも眉間の上方部位に位置する生えぎわ部に位置して疑似毛からなる前髪を植毛したカツラにおいて、前記生えぎわ部に対応するベース14のフロント部に前記前髪を植設する生えぎわシート22を連設している。生えぎわシート22は、前記フロント部に連設された基部22aから生えぎわ部に臨む前縁22bの間に多数の網目24を構成するネット片23により形成されており、隣接する複数の網目24を閉塞する透明又は半透明の膜から成るシート状部25を該ネット片23に対して部分的に形成し、該シート状部25を介して粘着手段26を形成するように構成されている。【選択図】図４
2010024583.tif 000002
【特許請求の範囲】
【請求項１】
着用者の頭部に被冠される下向き皿状のネットシート本体(15)から成るベース(14)に疑似毛からなる頭髪(12a)を植毛し、着用者の少なくとも眉間の上方部位に位置する生えぎわ部(13)に位置して疑似毛からなる前髪(12b)を植毛したカツラにおいて、
前記生えぎわ部(13)に対応するベース(14)のフロント部(16a)に前記前髪(12b)を植設する生えぎわシート(22)を連設し、該生えぎわシート(22)は、前記フロント部(16b)に連設された基部(22a)と生えぎわ部(13)に臨む前縁(22b)の間に多数の網目(24)を構成するネット片(23)により形成され、
前記ネット片(23)は、隣接する複数の網目(24)を閉塞する透明又は半透明の膜から成るシート状部(25)を該ネット片(23)に対して部分的に形成し、該シート状部(25)を介して粘着手段(26)を形成するように構成されて成ることを特徴とするカツラ。
【請求項２】
前記シート状部(25)は、ネット片(23)の基部(22a)に近傍する幅広部(25a)から前縁(22b)に向けて次第に幅狭となる輪郭を有するように形成され、前縁(22b)に臨む先端に尖鋭部(25b)を形成して成ることを特徴とする請求項１に記載のカツラ。
【請求項３】
前記シート状部(25)の下面により両面接着テープを貼着自在とする貼着面(27)を形成し、該貼着面(27)に貼着した両面接着テープ(26a)により前記粘着手段(26)を形成するように構成して成ることを特徴とする請求項１又は２に記載のカツラ。
【請求項４】
前記シート状部(25)を粘着性素材により形成し、該シート状部の下面に形成される粘着部(26b)により前記粘着手段(26)を構成して成ることを特徴とする請求項１又は２に記載のカツラ。
【請求項５】
ネット片(23)の網目(24)を構成する線条(24a)の直径Ｄに対して、シート状部(25)の網目閉塞部(25c)の肉厚Ｔを、Ｄ≧Ｔとなるように形成して成ることを特徴とする請求項１、２、３又は４に記載のカツラ。
【発明の詳細な説明】
【技術分野】
【０００１】
本発明は、カツラに関するものであり、特に、前髪の生えぎわに違和感がなく、カツラの装着がわからないように改良を施したものに関する。
【背景技術】
【０００２】
従来、種々のカツラが提供されており、本出願人においても提案したところであるが、近年は、着用者の頭部に残存する生存中の頭髪（地毛）と、カツラに植毛された頭髪（疑似毛、但し天然毛又は人工毛を問わない）とを混然一体化させるために、オールバック等のバックスタイルとしたカツラが好評を博している。
【０００３】
このようなバックスタイルのカツラの着用者は、通常、額の眉間の上方部分から頭頂部に向けて高く禿げ上がっているが、その両側には地毛が残存しており、地毛の生えぎわが概ねＭ形を描いている。
【０００４】
ところで、カツラの疑似毛は、着用者の残存する地毛との境界部分では、疑似毛と地毛が混然一体化するので、外部から見てもカツラの着用を識別できない。しかしながら、前述のように禿げ上がった眉間の上方部位においては、地毛が存在しないため、カツラの疑似毛により構成された前髪が独立状態で視認され、そのため、カツラベースのうち、前髪を植毛した部分をどのようにして目立たないようにするかが大きな課題となる。
【０００５】
そこで、本出願人は、カツラベースの生えぎわ部に位置して多数の網目を有するネット片から成る生えぎわシートを連設し、該生えぎわシートに前髪を植設したカツラを提案し、好評を博している。
【特許文献１】特開２００７−２３４１９公報
【特許文献２】特開２００７−３１９１３公報
【発明の開示】
【発明が解決しようとする課題】
【０００６】
本出願人が先に提案した特許文献１及び特許文献２（以下「先行技術」と総称する。）のカツラは、図１０（Ａ）に示すように、着用者の頭部１に装着されるネットシート本体２から成るベース３のフロント部に、着用者の生えぎわ部４に臨む生えぎわシート５を連設し、該生えぎわシート５をネット片６により構成している。ベース３には疑似毛から成る頭髪１ａが植設され、ネット片６には疑似毛から成る前髪１ｂが植設される。
【０００７】
生えぎわシート５を構成するネット片６は、柔軟で伸縮自在な多数の網目を形成しており、着用時に生えぎわ部４に好適にフィットして密着し、前髪１ｂを透かして見たとき、あたかもネット片６が存在しないかのような錯視効果を奏する。
【０００８】
しかしながら、着用者がカツラを着用する際には、ベース３の両側部を強く下方に引っ張ることにより頭部にフィットさせると共に、頭部に残存した地毛に対して該両側部をピンや粘着テープ等で固着する関係上、生えぎわシート５にも両端が引っ張られる方向に張力を受ける。そこで、生えぎわシート５を構成する柔軟なネット片６が伸長して破断し、あるいは前端がめくれ上がるという問題があるため、先行技術は、生えぎわシート５の伸長を防止するように構成している。
【０００９】
ところで、本発明者がその後に知見したところによると、生えぎわシート５をネット片６により構成する場合、先行技術のように伸長を防止すると否とに関わらず、ネット片６の柔軟な網目を着用者の生えぎわ部４にフィットさせると共に、該ネット片６を粘着手段により生えぎわ部４に粘着させることが好ましい。このような粘着手段を設けていない場合は、カツラの着用当初にネット片６が生えぎわ部４に好適に密着していても、着用者が無意識に前髪１ｂを掻いたりすると、ネット片６が浮き上がるおそれがあり、しかも、着用者がネット片６の浮き上がりに気づかない事態を招来するおそれがある。
【００１０】
（第１比較例）
そこで、図１０（Ａ）に示すように、生えぎわシート５を着用者の生えぎわ部４に対して両面接着テープ７から成る粘着手段８により粘着させれば上記問題を解決できるが、生えぎわシート５は、多数の網目を構成するネット片６により形成されているので、両面接着テープ７が粘着し難く、容易に剥離してしまう。
【００１１】
（第２比較例）
このため、図１０（Ｂ）に示すように、ネット片６の一部分をウレタン樹脂等の透明又は半透明の樹脂で被覆することによりシート状部９を形成し、該シート状部９を介して、生えぎわシート５を着用者の生えぎわ部４に対し、両面接着テープ７から成る粘着手段８により粘着させれば、確実な粘着が可能になる。しかしながら、ウレタン樹脂等の被膜は、径年変化等により黄ばみを生じる等、透明性を劣化するので、生えぎわシート５の前縁を正面から見たとき、その存在が視認されるおそれがある。
【課題を解決するための手段】
【００１２】
本発明は、上記課題を解決したカツラを提供するものであり、その手段として構成したところは、着用者の頭部に被冠される下向き皿状のネットシート本体から成るベースに疑似毛からなる頭髪を植毛し、着用者の少なくとも眉間の上方部位に位置する生えぎわ部に位置して疑似毛からなる前髪を植毛したカツラにおいて、前記生えぎわ部に対応するベースのフロント部に前記前髪を植設する生えぎわシートを連設し、該生えぎわシートは、前記フロント部に連設された基部と生えぎわ部に臨む前縁の間に多数の網目を構成するネット片により形成され、前記ネット片は、隣接する複数の網目を閉塞する透明又は半透明の膜から成るシート状部を該ネット片に対して部分的に形成し、該シート状部を介して粘着手段を形成するように構成されて成る点にある。
【００１３】
この際、前記シート状部は、ネット片の基部に近傍する幅広部から前縁に向けて次第に幅狭となる輪郭を有するように形成され、前縁に臨む先端に尖鋭部を形成している。
【００１４】
前記粘着手段は、両面接着テープにより構成することができる。この場合、前記シート状部の下面により両面接着テープを貼着自在とする貼着面を形成し、該貼着面に貼着した両面接着テープを粘着手段として生えぎわシートを着用者の生えぎわ部に粘着する。
【００１５】
或いは、両面接着テープを使用せず、前記シート状部それ自体により粘着手段を構成することができる。この場合、シート状部を粘着性素材により形成し、該シート状部の下面の粘着面を粘着手段として生えぎわシートを着用者の生えぎわ部に粘着する。
【００１６】
生えぎわシートを構成するネット片を着用者の生えぎわ部に好適にフィットさせると共に、ネット片及びシート状部を視認困難とする錯視効果を損なわないようにするためには、ネット片の網目を構成する線条の直径Ｄに対して、シート状部の網目閉塞部の肉厚Ｔを、Ｄ≧Ｔとなるように形成することが好ましい。
【発明の効果】
【００１７】
本発明によれば、カツラ着用状態において、生えぎわシート２２がネット片２３により構成されているので、着用者の生えぎわ部１３に好適にフィットして密着する。この際、生えぎわシート２２は、外部から前髪１２ｂの間を透視して視認可能であるが、ネット片２３が密着状態で頭部の頭皮と一体化した外観を呈しているので、識別不能であり、あたかも生えぎわシート２２が存在しておらず、生えぎわシート２２から起立する前髪１２ｂの毛根近傍部が本当の地毛の生えぎわを表しているような錯視効果がある。そして、ネット片２３は、着用者の頭皮に適合するだけでなく、通気性に優れるので、汗をかいても浮き上がるようなことはない。しかも、網目を大きく且つ線条を細く形成すれば、更に錯視効果に優れたものとなる。
【００１８】
特に、本発明によれば、生えぎわシート２２を構成するネット片２３は、隣接する複数の網目２４を閉塞する透明又は半透明の膜から成るシート状部２５を部分的に形成し、該シート状部２５を介して粘着手段２６を形成するように構成されているので、平面的に広がりのあるシート状部２５に基づいて粘着手段２６を設けることによりネット片２３を生えぎわ部１３に好適に粘着させることができる。このため、外力によりネット片２３が生えぎわ部１３から浮き上がることはなく、所期の錯視効果を保証する。
【００１９】
ところで、着用時に、カツラは、ネットシート本体１５が伸縮等を介して着用者の頭部に適合され、保形シート部１６が頭部に固着される。殊に、ネットシート本体１５の両側部１５ｂ、１５ｂは、着用者の残存する地毛に混然一体化せしめるため下方に強く引っ張られた状態で固定され、ベース１４の周縁に周方向の張力を生じるので、生えぎわシート２２にも両端が引っ張られる方向Ｐ、Ｐの張力が作用する。この点に関して、本発明によれば、所定個所にシート状部２５を設けることにより、ネット片２３の伸長が妨げられ、網目２４の破断が防止される。
【００２０】
この点に関して、請求項２に記載の本発明によれば、シート状部２５は、ネット片２３の基部２２ａに近傍する幅広部２５ａから前縁２２ｂに向けて次第に幅狭となる輪郭を有するように形成されているので、ネット片２３は、前記幅広部２５ａにより基部２２ａが保形され、該基部２２ａから前縁２２ｂに向けて次第に柔軟性を増すものとなる。従って、生えぎわシート２２に前述のような張力Ｐ、Ｐが作用する場合でも、次第に柔軟性を増した前縁２２ｂの近傍部において張力を吸収し、該前縁２２ｂが生えぎわ部１３からめくれ上がることを防止できる。
【００２１】
しかも、シート状部２５は、前縁２２ｂに向けて次第に幅狭状となるように形成された先端に尖鋭部２５ｂを形成している。そこで、シート状部２５が径年変化等（所謂焼け等）により透明性を劣化した場合でも、シート状部２５を前縁２２ｂの正面から見たとき、尖鋭部２５ｂがほとんど点状に見えるだけであるから、該シート状部２５の先端が視認困難とされ、所期の錯視効果を担保する。
【００２２】
そして、請求項３に記載の本発明によれば、シート状部２５は、下面に両面接着テープ２６ａを貼着自在とする貼着面２７を構成し、該貼着面２７に貼着した両面接着テープ２６ａにより粘着手段２６を形成する構成であるから、上述の第１比較例のような粘着不良による剥離の問題はなく、ネット片２３を生えぎわ部１３に良好に粘着させることができる。この際、ネット片２３に複数のシート状部２５を隣接状態で形成しておけば、複数のシート状部２５、２５に跨がって両面接着テープ２６ａを粘着させることが可能となる。
【００２３】
また、請求項４に記載の本発明によれば、シート状部２５を粘着性素材により形成し、下面の粘着部２６ｂにより粘着手段２６を構成しているので、前述のような両面接着テープを使用しなくても、ネット片２３を生えぎわ部１３に良好に粘着できるものとなる。
【００２４】
更に、請求項５に記載の本発明によれば、シート状部２５は、網目閉塞部２５ｃの肉厚Ｔを、ネット片２３の網目２４を構成する線条２４ａの直径Ｄに対して、Ｄ≧Ｔとなるように形成されているので、シート状部２５の全体にわたる肉厚が可及的薄く形成される。従って、シート状部２５を形成することによりネット片２３の薄さと柔軟性を損なうことはなく、生えぎわ部１３に対するフィット性と密着性を担保する。しかも、このように肉厚を極薄とすることにより、シート状部２５の透明性が低下しないので、前縁２２ｂを透かして見たときの該シート状部２５の視認困難性も良好である。
【発明を実施するための最良の形態】
【００２５】
以下図面に基づいて本発明の好ましい実施形態を詳述する。
【００２６】
図１は、本発明に係るカツラの概略全体図を示し、カツラは、着用者の頭部に被冠される下向き皿状のネットシート本体１５からなるベース１４に疑似毛からなる頭髪１２ａを植毛し、着用者の少なくとも眉間の上方部位に位置する生えぎわ部１３に植毛された疑似毛からなる前髪１２ｂを有し、頭髪１２ａ及び前髪１２ｂを後向きに癖付けしたバックスタイルのカツラを構成しており、その植毛密度を矢印Ｂで示すように、前髪１２ｂから頂部の頭髪１２ａに向けて、次第に疎から密となるように植設されるのが好ましい。即ち、植毛密度（単位面積あたりの植毛本数）は、頭髪１２ａの植毛密度よりも前髪１２ｂの植毛密度が疎とされ、これにより自然な生えぎわ状態を形成し、しかも、頭髪１２ａの植毛密度が前部（前髪の近傍部）から後部（後頭部）に向けて次第に密とされている。
【００２７】
この点に関し、本発明において「疑似毛」とは、着用者の頭部に残存する生存中の地毛に対する意味であり、天然毛又は人工毛を問わないことを諒解されたい。また、「生えぎわ部」とは、カツラの装着を必要としない通常の人体の頭部で地毛としての前髪が生えている部分のことであり、カツラを必要とする着用者の額における地毛の生えぎわが概ねＭ形を描くように眉間の上方で禿げ上がった部分を意味している。従って、その幅寸法Ｗは、少なくとも眉間の上方部位を含むが、禿げ上がった部分が幅広いときは、その幅広の部分を包含する意味であることを諒解されたい。更に、図１は、オールバックスタイルのカツラを示しているが、「バックスタイル」とは、少なくとも前髪１２ｂの生えぎわを外部から視認できるように、前髪１２ｂを前下りでなく頭部の上部に向けて後向きに癖付けしたヘアースタイルを意味し、必ずしもオールバックに限定されないことを理解されたい。
【００２８】
図２及び図３は、カツラの内側（着用者の頭部に面する裏側）を示しており、ベース１４を構成するネットシート本体１５は、着用者の頭部の生えぎわ部１３に臨む前部１５ａから、着用者の地毛が残存する頭部両側に臨む両側部１５ｂ、１５ｂと、着用者の地毛が残存する後頭部に臨む後部１５ｃを含んで底面視ほぼ楕円状で、着用者の頭部に沿うような球面状に形成されており、少なくとも、伸縮性と通気性を有している。この伸縮性は、顕著なものである必要はなく、僅かな伸縮性でも足りるが、要するに着用者の頭部にフィットできるものであれば良い。図１のように、ネットシート本体１５には、外側に起立するように多数の頭髪１２ａが植設される。
【００２９】
ネットシート本体１５の内側には、球面のほぼ中央部を残して、前部１５ａ、両側部１５ｂ、１５ｂ、後部１５ｃに沿う周縁部に固着された非伸縮性の保形シート部１６が設けられている。この保形シート部１６は、ネットシート本体１５の内側面にウレタン樹脂又はシリコン樹脂等の合成樹脂液を塗布した後、硬化させることにより、適度の弾性を有するフィルム状又はシート状に形成されるが、予めネット状又は非ネット状の保形シートを裁断したものをネットシート本体１５の内側面に接着、溶着、縫合等により固着することにより形成しても良く、要するに、ネットシート本体１５を球面状に保形すると共に、該保形シート部１６の部分でネットシート本体１５の伸縮性を阻害して非伸縮状態に保持するものであれば良い。尚、ベース１４の球面状の頂部に位置するネットシート本体１５の内側にも保形シート部１６と同様の素材で同様の方法により形成されたシート片１７が形成され、カツラを着用した際にベース１４を頭部に固定するための接着テープ等の固定手段を設けることができるように構成されている。
【００３０】
ネットシート本体１５の前部１５ａに位置して設けられた前記保形シート部１６のフロント部１６ａには、生えぎわ部１３に位置して該フロント部１６ａを切欠した凹形部１８が形成され、該凹形部１８の縁により、生えぎわ部１３に臨む前縁部１８ａと、該前縁部１８ａの両側に位置する側縁部１８ｂ、１８ｂとを構成している。一対の側縁部１８ｂ、１８ｂは、後述する生えぎわシートに対してベース１４及びネットシート本体１５の張力を伝達させないように阻止する保護手段１９、１９を構成する。図例の場合、凹形部１８の両側に隣接して更に保形シート部１６のフロント部１６ａを切欠した補助凹形部２０、２０が形成され、該補助凹形部２０は、透明の補助フィルム２０ａにより被われ、該補助フィルム２０ａの外側表面に起立するように補助前髪（図示省略）を植毛している。この補助フィルム２０ａは、補助凹形部２０の全体にわたりシリコン樹脂等の合成樹脂液を塗布した後、硬化させることにより、適度の弾性を有するフィルム状又はシート状に形成されるが、予めシートを裁断したものを接着することにより形成しても良い。これにより、凹形部１８と補助凹形部２０との間に位置して保形シート部１６から延設された舌片２１、２１が形成され、該舌片により保護手段１９、１９を構成している。尚、図２において、ネットシート本体１５の周縁部は、保形シート部１６に隠れて見えないが、保形シート部１６の外側にはネットシート本体１５が重ね合わせられていることを理解されたい。
【００３１】
そこで、前記凹形部１８を被うようにネット片２３から成る生えぎわシート２２が配置され、該生えぎわシート２２を凹形部１８の前縁部１８ａと側縁部１８ｂ、１８ｂにオーバラップした状態で固着し、該生えぎわシート２２の外側表面に起立するように前髪１２ｂを植毛している。
【００３２】
図３及び図４に示すように、生えぎわシート２２を構成するネット片２３は、凹形部１８を被うようにベース１４のフロント部１６ａに連設される基部２２ａから生えぎわ部１３に臨む前縁２２ｂの間に多数の網目２４を構成し、前縁２２ｂをベース１４のほぼ楕円を描く周縁に一致し又は該周縁よりも僅かに膨出する膨出状円弧縁となるように形成されている。
【００３３】
前記ネット片２３は、網目２４を介して経緯糸を平織状に織成したりニット状に編成したものや、合成樹脂により網目２４を形成したフィラメント状の糸条を一体成形したものを採用することができるが、それ自体は、縦横に引っ張ると、個々の網目２４を変形するので、その意味で伸縮性を有している。この際、ネット片２３の網目２４は、ベース１４を構成するネットシート本体１５の網目よりも大きく形成されていることが好ましく、該網目２４を形成するネット片２３の線条は、ネットシート本体１５を構成する線条よりも細く形成されていることが好ましい。これにより生えぎわシート２２は、生えぎわ部１３に好適にフィットして密着する柔軟性に優れたものとなる。しかも、細い線条で大きな網目２４を形成しているので、前髪１２ｂを透かしてネットシート本体１５が視認される場合でも、肉眼により視認困難であり、あたかもネットシート本体１５が存在しないかのような錯視効果を奏する。
【００３４】
従って、図示実施形態の場合、生えぎわシート２２は、ネットシート本体１５とは別体のネット片２３により構成されているが、本発明において、生えぎわシート２２を構成するネット片２３は、ネットシート本体１５を生えぎわ部１３まで延設することにより形成しても良い。この場合、生えぎわシート２２とネットシート本体１５の全体を構成するネットシートに対して、図２に示すような上述の保形シート部１６が設けられ、該保形シート部１６により保形されたベース１４と、該保形シート部１６により保形されない柔軟な生えぎわシート２２が形成される。
【００３５】
そこで、生えぎわシート２２を構成するネット片２３は、図４に示すように、隣接する複数の網目２４を閉塞する透明又は半透明の膜から成るシート状部２５を設けている。シート状部２５は、複数の網目２４にわたりシリコン樹脂等の合成樹脂液を塗布した後、硬化させることにより、柔軟な可撓性を有するフィルム状のシートを構成し、このようなフィルム状のシートがネット片２３に部分的に形成される。換言すれば、シート状部２５が形成されていない部分では、ネット片２３の網目２４がそのまま露呈されている。この際、シート状部２５は、ネット片２３の基部２２ａに近傍する幅広部２５ａから前縁２２ｂに向けて次第に幅狭となる輪郭を有するように形成され、前縁２２ｂに臨む先端に尖鋭部２５ｂを形成している。図例の場合、ほぼ二等辺三角形を描く輪郭を表すように形成されているが、これに限定されるものではない。
【００３６】
前記シート状部２５は、図示のように、ネット片２３の延長方向（横方向）に隣接して複数形成するのが好ましく、このように構成することにより、細い線条で大きな網目２４を形成するネット片２３は、前記幅広部２５ａにより基部２２ａが保形され、該基部２２ａから前縁２２ｂに向けて次第に柔軟性を増すものとなる。従って、カツラの着用時にベース１４の両側部１５ｂ、１５ｂが下向きに引っ張られ、ピンや接着テープにより頭部に残存する地毛に固着された状態で、ネット片２３の両端には図３の矢印Ｐで示す方向の張力が作用するが、該ネット片２３の伸長が妨げられ、網目２４の破断を防止する。しかも、前縁２２ｂに向けて柔軟性を増しているので、該前縁２２ｂの近傍部では矢印Ｐ方向の張力を吸収し、該前縁２２ｂが生えぎわ部１３からめくれ上がることを防止する。
【００３７】
ネット片２３の複数の網目２４にわたってシリコン樹脂等の合成樹脂液を塗布することにより形成されたシート状部２５は、図５（Ａ）に示すように、各網目２４を閉塞するフィルム状の網目閉塞部２５ｃを構成する。この際、合成樹脂液の塗布量は、硬化後に形成される網目閉塞部２５ｃの肉厚Ｔがネット片２３の網目２４を構成する線条２４ａの直径Ｄに対して、Ｄ≧Ｔとなるように設定されている。図５（Ｂ）に示す実施例では、シート状部２５が線条２４ａを被覆しないように形成され、従って、網目２４ごとに独立した網目閉塞部２５ｃが連設された状態でシート状部２５を構成する。これに対して、図５（Ｃ）に示す実施例では、シート状部２５が線条２４ａを被覆するように形成され、従って、線条２４ａの表面が薄い被膜２５ｄにより被覆されるが、網目２４の内部に位置する網目閉塞部２５ｃの肉厚はＤ≧Ｔとなるように形成されている。
【００３８】
上記のようにＤ≧Ｔとするため、シート状部２５は、全体にわたる肉厚が可及的薄くなるように形成される。これにより、ネット片２３の薄さと柔軟性が損なわれないので、生えぎわ部１３に対するフィット性と密着性を低下させることはない。しかも、このように肉厚を極薄とすることにより、シート状部２５の透明性が低下しないので、前縁２２ｂを透かして見たときの該シート状部２５の視認困難性が良好となる。
【００３９】
ところで、シート状部２５は、径年変化等（所謂焼け等）により黄ばみを生じる等、その透明性を劣化する。従って、該シート状部２５の錯視効果が低下するおそれがある。この点に関して、図６に示すように、ネット片２３には前髪１２ｂが植毛されているので、前髪１２ｂを透かして見る限り、透明性を劣化した状態でもシート状部２５を視認することは比較的困難である。これに対して、図示矢印Ｅで示すように、ネット片２３の前縁２２ｂを正面から見たときは、該前縁２２ｂに臨むシート状部２５の先端部分が比較的視認容易であるから、シート状部２５の透明性が劣化していると、該先端部分を視認されるおそれが高くなる。しかしながら、本発明のシート状部２５は、ネット片２３の前縁２２ｂに臨む先端に尖鋭部２５ｂを形成し、これにより透明性が劣化した場合の錯視効果を担保している。
【００４０】
即ち、仮にシート状部２５を矩形等の輪郭を有するように形成している場合は、先端部分が前縁２２ｂに沿って長く延びる線を表すので、前縁２２ｂの正面から見たとき、長い線状の先端部分を視認することが容易となる。これに対して、本発明は、シート状部２５を基部２２ａに近傍する幅広部２５ａから前縁２２ｂに向けて次第に幅狭となるように形成し、前縁２２ｂに臨む先端に尖鋭部２５ｂを設けているので、前縁２２ｂの正面から見たとき、尖鋭部２５ｂがほとんど点状に見えるだけとなり、シート状部２５が透明性を劣化した状態でも、その存在を視認することが困難になるように構成されている。
【００４１】
上記の構成に基づいて、ネット片２３は、前記シート状部２５を介して粘着手段２６を形成するように構成されている。
【００４２】
図４及び図７に示す第１実施例において、シート状部２５は、下面に両面接着テープ２６ａを貼着自在とする貼着面２７を構成し、該貼着面２７に貼着した両面接着テープ２６ａにより粘着手段２６を構成される。図４に示すように、ネット片２３には複数のシート状部２５が隣接状態で形成されているので、複数のシート状部２５、２５に跨がって両面接着テープ２６ａを好適に粘着させることができる。従って、図１０（Ａ）に示した第１比較例のように粘着不良による剥離の問題はなく、ネット片２３を生えぎわ部１３に良好に粘着させることができる。この際、両面接着テープ２６ａは、随時、新しい両面接着テープ２６ａと交換自在であり、透明性に優れているので、外部から視認不能である。尚、図７に矢印Ｅで示すように、前縁２２ｂを正面から見たとき、シート状部２５の先端の尖鋭部２５ｂが点状に見えるだけであり、その存在を視認困難としており、この点は前述の通りである。
【００４３】
図８に示す第２実施例において、シート状部２５は、粘着性素材により形成されており、該シート状部２５の下面の粘着部２６ｂにより粘着手段２６を構成している。例えば、シート状部２５をシリコンゴム等の粘着性を有するエラストマーにより形成すれば、透明又は半透明の膜状に形成されたシート状部２５の表面が粘着性を備えたものとなり、粘着部２６ｂが形成される。これにより、ネット片２３は、生えぎわ部１３に良好に粘着可能なものとなる。尚、図８に矢印Ｅで示すように、前縁２２ｂを正面から見たとき、シート状部２５の先端の尖鋭部２５ｂが点状に見えるだけであり、その存在を視認困難とする。この点は前述の通りである。ところで、第２実施例の場合、シート状部２５は、それ自体が粘着部２６ｂを備えているので、前述のような両面接着テープを不要とする利点があるが、粘着部２６ｂの粘着性が低下したときは、第１実施例のように両面接着テープを使用することにより、生えぎわ部１３に対する粘着が可能となる。
【００４４】
生えぎわシート２２を構成するネット片２３に設けられたシート状部２５は、図９に示すように、隣り合うシート状部２５の幅広部２５ａを相互に連設部２５ｅを介して一連一体に連設するように構成しても良く、また、先端の尖鋭部２５ｂに丸みをつけたり、該尖鋭部２５ｂを前縁２２ｂから距離Ｌで示すようにやや後方に後退させた位置に設けるように形成しても良い。
【図面の簡単な説明】
【００４５】
【図１】本発明の１実施形態を示す斜視図である。
【図２】本発明の１実施形態を内側から示す底面図である。
【図３】本発明の要部を拡大して示す底面図である。
【図４】本発明の要部を更に拡大して示す底面図である。
【図５】本発明の実施形態におけるシート状部を示しており、（Ａ）は部分的拡大斜視図、（Ｂ）はシート状部の第１実施例を示す拡大断面図、（Ｃ）はシート状部の第２実施例を示す拡大断面図である。
【図６】シート状部の尖鋭部の視認状態を示す説明図である。
【図７】シート状部と粘着手段の第１実施例を示す断面図である。
【図８】シート状部と粘着手段の第２実施例を示す断面図である。
【図９】シート状部の他の実施形態を示す底面図である。
【図１０】本発明に対する比較例を示しており、（Ａ）は第１比較例を示す説明図、（Ｂ）は第２比較例を示す説明図である。
【符号の説明】
【００４６】
１２ａ  頭髪
１２ｂ  前髪
１３  生えぎわ部
１４  ベース
１５  ネットシート本体
１６  保形シート部
２２  生えぎわシート
２２ａ  基部
２２ｂ  前縁
２３  ネット片
２４  網目
２４ａ  線条
２５  シート状部
２５ａ  幅広部
２５ｂ  尖鋭部
２５ｃ  網目閉塞部
２６  粘着手段
２６ａ  両面接着テープ
２６ｂ  粘着部
【図１】
2010024583.tif 000003
【図２】
2010024583.tif 000004
【図３】
2010024583.tif 000005
【図４】
2010024583.tif 000006
【図５】
2010024583.tif 000007
【図６】
2010024583.tif 000008
【図７】
2010024583.tif 000009
【図８】
2010024583.tif 000010
【図９】
2010024583.tif 000011
【図１０】
2010024583.tif 000012
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
着用者の頭部に被冠されるネットシート本体(15)に疑似毛からなる頭髪(12a)を植毛し、着用者の少なくとも眉間の上方部位に位置する生えぎわ部(13)に臨んで多数の網目(24)を構成する生えぎわシート(22)に疑似毛からなる前髪(12b)を植毛したカツラであり、
前記生えぎわシート(22)は、隣接する複数の網目(24)を閉塞する膜から成るシート状部(25)を部分的に形成し、該シート状部(25)を介して粘着手段(26)を形成するように構成しており、
前記シート状部(25)は、前記生えぎわシート(22)の前縁(22b)に臨む先端に尖鋭部(25b)を形成して成ることを特徴とするカツラ。
【請求項２】
前記シート状部(25)は、生えぎわシート(22)の基部(22a)を保形する幅広部(25a)を形成し、該基部(22a)から前縁(22b)に向けて生えぎわシート(22)の柔軟性を次第に増すように前記幅広部(25a)から尖鋭部(25b)に向けて次第に幅狭となるように形成されて成ることを特徴とする請求項１に記載のカツラ。
【請求項３】
前記シート状部(25)は、複数の網目(24)にわたって塗布した合成樹脂液を硬化させることにより形成された柔軟な可撓性を有するフィルム状のシートにより構成され、
前記生えぎわシート(22)の網目(24)を構成する線条(24a)の直径Ｄに対して、シート状部(25)の網目閉塞部(25c)の肉厚Ｔを、Ｄ≧Ｔとなるように形成して成ることを特徴とする請求項１又は２に記載のカツラ。
【請求項４】
前記生えぎわシート(22)は、ネットシート本体(15)を生えぎわ部(13)まで延設することにより形成されて成ることを特徴とする請求項１、２又は３に記載のカツラ。
【請求項５】
前記シート状部(25)の下面により両面接着テープを貼着自在とする貼着面(27)を形成し、該貼着面(27)に貼着した両面接着テープ(26a)により前記粘着手段(26)を形成するように構成して成ることを特徴とする請求項１、２、３又は４に記載のカツラ。
【手続補正２】
【補正対象書類名】明細書
【補正対象項目名】００１２
【補正方法】変更
【補正の内容】
【００１２】
本発明は、上記課題を解決したカツラを提供するものであり、その手段として構成したところは、着用者の頭部に被冠されるネットシート本体(15)に疑似毛からなる頭髪(12a)を植毛し、着用者の少なくとも眉間の上方部位に位置する生えぎわ部(13)に臨んで多数の網目(24)を構成する生えぎわシート(22)に疑似毛からなる前髪(12b)を植毛したカツラであり、前記生えぎわシート(22)は、隣接する複数の網目(24)を閉塞する膜から成るシート状部(25)を部分的に形成し、該シート状部(25)を介して粘着手段(26)を形成するように構成しており、前記シート状部(25)は、前記生えぎわシート(22)の前縁(22b)に臨む先端に尖鋭部(25b)を形成して成る点にある。
【手続補正３】
【補正対象書類名】明細書
【補正対象項目名】００１３
【補正方法】変更
【補正の内容】
【００１３】
前記シート状部(25)は、生えぎわシート(22)の基部(22a)を保形する幅広部(25a)を形成し、該基部(22a)から前縁(22b)に向けて生えぎわシート(22)が次第に柔軟性を増すように前記幅広部(25a)から尖鋭部(25b)に向けて次第に幅狭となるように形成されていることが好ましい。
【手続補正４】
【補正対象書類名】明細書
【補正対象項目名】００１４
【補正方法】変更
【補正の内容】
【００１４】
本発明の実施形態において、前記シート状部(25)は、複数の網目(24)にわたって塗布した合成樹脂液を硬化させることにより形成された柔軟な可撓性を有するフィルム状のシートにより構成され、前記生えぎわシート(22)の網目(24)を構成する線条(24a)の直径Ｄに対して、シート状部(25)の網目閉塞部(25c)の肉厚Ｔを、Ｄ≧Ｔとなるように形成している。
【手続補正５】
【補正対象書類名】明細書
【補正対象項目名】００１５
【補正方法】変更
【補正の内容】
【００１５】
本発明において、前記生えぎわシート(22)は、ネットシート本体(15)を生えぎわ部(13)まで延設することにより形成することができる。
【手続補正６】
【補正対象書類名】明細書
【補正対象項目名】００１６
【補正方法】変更
【補正の内容】
【００１６】
前記粘着手段(26)は、前記シート状部(25)の下面に両面接着テープを貼着自在とする貼着面(27)を形成し、該貼着面(27)に貼着した両面接着テープ(26a)により形成することができる。
【手続補正７】
【補正対象書類名】明細書
【補正対象項目名】００１７
【補正方法】変更
【補正の内容】
【００１７】
本発明によれば、カツラ着用状態において、生えぎわシート２２が多数の網目２４を構成しているので、着用者の生えぎわ部１３に好適にフィットして密着する。この際、生えぎわシート２２は、外部から前髪１２ｂの間を透視して視認可能であるが、密着状態で頭部の頭皮と一体化した外観を呈しているので、識別不能であり、あたかも生えぎわシート２２が存在しておらず、生えぎわシート２２から起立する前髪１２ｂの毛根近傍部が本当の地毛の生えぎわを表しているような錯視効果がある。そして、通気性に優れるので、汗をかいても浮き上がるようなことはない。
【手続補正８】
【補正対象書類名】明細書
【補正対象項目名】００１８
【補正方法】変更
【補正の内容】
【００１８】
この際、生えぎわシート２２は、隣接する複数の網目２４を閉塞する膜から成るシート状部２５を部分的に形成し、該シート状部２５を介して粘着手段２６を形成するように構成されているので、平面的に広がりのある粘着手段２６を形成することが可能になり、これにより生えぎわ部１３に好適に粘着させることができる。このため、外力により生えぎわ部１３から浮き上がることはなく、所期の錯視効果を保証する。即ち、本発明は、実施形態に関して説明するように、シート状部２５それ自体により粘着手段２６を構成しても良く、或いは、シート状部２５に両面接着テープ２６ａを貼着することにより粘着手段２６を構成しても良いが、後者の場合、図１０（Ａ）に基づいて説明した第１比較例のような網目に対する粘着不良の問題はなく、両面接着テープ２６ａをシート状部２５に好適に貼着できるという利点がある。
【手続補正９】
【補正対象書類名】明細書
【補正対象項目名】００１９
【補正方法】変更
【補正の内容】
【００１９】
特に、本発明は、シート状部２５により粘着手段２６を形成しながらも、生えぎわシート２２の前縁２２ｂに臨むシート状部２５の先端に尖鋭部２５ｂを形成した点に特徴があり、これにより、シート状部２５を前縁２２ｂの正面から見たとき、尖鋭部２５ｂがほとんど点状に見えるだけであるから、該シート状部２５の存在が視認困難とされ、所期の錯視効果を担保するという優れた効果を奏する。即ち、仮にシート状部２５を矩形等の輪郭を有するように形成している場合は、先端部分が前縁２２ｂに沿って長く延びる線を表すので、前縁２２ｂの正面から見たとき、長い線状の先端部分を視認することが容易となるのに対して、本発明によれば、前縁２２ｂの正面から見たとき、尖鋭部２５ｂがほとんど点状に見えるだけとなり、その存在を視認することが困難になるように構成されている。
【手続補正１０】
【補正対象書類名】明細書
【補正対象項目名】００２０
【補正方法】変更
【補正の内容】
【００２０】
そして、請求項２に記載の本発明によれば、シート状部２５は、生えぎわシート２２の基部２２ａに近傍する幅広部２５ａから前縁２２ｂに向けて次第に幅狭となる輪郭を有するように形成されているので、生えぎわシート２２は、前記幅広部２５ａにより基部２２ａが保形され、該基部２２ａから前縁２２ｂに向けて次第に柔軟性を増すものとなる。従って、生えぎわシート２２に両端が引っ張られる方向の張力Ｐ、Ｐが作用する場合でも、次第に柔軟性を増した前縁２２ｂの近傍部において張力を吸収し、該前縁２２ｂが生えぎわ部１３からめくれ上がることを防止できる。
【手続補正１１】
【補正対象書類名】明細書
【補正対象項目名】００２１
【補正方法】変更
【補正の内容】
【００２１】
請求項３に記載の本発明によれば、シート状部２５は、複数の網目２４にわたって塗布した合成樹脂液を硬化させることにより形成された柔軟な可撓性を有するフィルム状のシートにより構成され、該シート状部２５の網目閉塞部２５ｃの肉厚Ｔを、生えぎわシート２２の網目２４を構成する線条２４ａの直径Ｄに対して、Ｄ≧Ｔとなるように形成しているので、シート状部２５の全体にわたる肉厚を可及的薄く形成することができ、これにより、生えぎわシート２２の薄さと柔軟性を損なうことはなく、生えぎわ部１３に対するフィット性と密着性を担保する。しかも、このように肉厚を極薄とすることにより、前縁２２ｂから見たときの前記尖鋭部２５ｂの視認困難性を向上する。
【手続補正１２】
【補正対象書類名】明細書
【補正対象項目名】００２２
【補正方法】変更
【補正の内容】
【００２２】
本発明は、請求項４に記載のように、ネットシート本体１５を生えぎわ部１３まで延設することにより生えぎわシート２２を形成することが可能である。そして、請求項５に記載の本発明によれば、シート状部２５は、下面に両面接着テープ２６ａを貼着自在とする貼着面２７を構成し、該貼着面２７に貼着した両面接着テープ２６ａにより粘着手段２６を形成する構成であるから、上述の第１比較例のような粘着不良による剥離の問題はなく、生えぎわシート２２を生えぎわ部１３に良好に粘着させることができる。この際、複数のシート状部２５を隣接状態で形成しておけば、複数のシート状部２５、２５に跨がって両面接着テープ２６ａを粘着させることが可能となる。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】